(57)【特許請求の範囲】
【請求項１】
撮影部から離隔した離隔位置と、前記離隔位置よりも前記撮影部に接近した接近位置との間で、撮影部に対して前後動可能な支柱部、
被検体が載せられる天板を有しており、かつ前記支柱部に上下動可能に支持されている天板部、
前記天板部とともに上下動可能に前記支柱部又は前記天板部に支持されており、前記支柱部が前記離隔位置に位置するときに、前記天板の側方に配置されて前記天板を保護するサイドカバー、及び
前記支柱部の前後動に連動して、前記サイドカバーを前記支柱部に対して相対的に反対方向へ移動させる連動機構
を備えている医用画像診断装置の寝台。
【請求項２】
前記連動機構は、
前記支柱部の前後動に連動して、鉛直な回転軸を中心として回転するスプライン軸と、
前記サイドカバーに設けられているサイドカバーラックと、
前記スプライン軸と同軸に配置されており、かつ、前記サイドカバーラックと噛み合っており、前記スプライン軸と一体に回転するピニオンと
を有しており、
前記支柱部に対して前記天板部及び前記サイドカバーが上下動する際、前記ピニオンは、前記サイドカバーラックと噛み合ったまま、前記スプライン軸に沿って上下動する請求項１記載の医用画像診断装置の寝台。
【発明の詳細な説明】
【技術分野】
【０００１】
この発明は、支柱部に支持された天板部が、支柱部とともに撮影部に対して前後動する医用画像診断装置の寝台に関するものである。
【背景技術】
【０００２】
従来の医用画像診断装置、例えばＸ線ＣＴ装置の寝台では、被検体を載置した天板（又は天板部）が前後動して、ガントリの所望位置に被検体を移動させる。このとき、天板の幅方向の両側に配置されているサイドカバーは、前後動させない構造となっている。これは、サイドカバーがガントリに衝突するのを避けるとともに、画像にアーチファクト等が発生するのを防ぐためである。
【０００３】
一方、ＰＥＴ（Position Emission Tomography）装置とＸ線ＣＴ装置本体とを組み合わせた従来のＰＥＴ−ＣＴ装置においては、天板部を支持する支柱部が、床に敷設されたレールに沿って前後動する構造となっている。即ち、天板部は、支柱部とともに前後動するようになっている。このため、一般的にＸ線ＣＴ装置には装備されているサイドカバーが、ＰＥＴ−ＣＴ装置には装備されていない（例えば、特許文献１、２参照）。
【先行技術文献】
【特許文献】
【０００４】
【特許文献１】特開２００５−３４８８４１号公報
【特許文献２】特開２０１０−１８３９６８号公報
【発明の概要】
【発明が解決しようとする課題】
【０００５】
上記のような従来のＰＥＴ−ＣＴ装置では、サイドカバーが装備されていないため、被検体をストレッチャ等から天板部上に移載する際に、ストレッチャが天板部の側部に当たり、天板部が損傷する恐れがある。これに対して、天板部の側部にサイドカバーを配置し、サイドカバーを支持する複数の支柱を床上に固定すると、これらの支柱が介助者等の作業の邪魔になる恐れがある。
【０００６】
この発明は、上記のような課題を解決するためになされたものであり、天板部とそれを支持する支柱部とを一体的に前後動させる構造であっても、サイドカバー用の支柱を床上に固定せずに、サイドカバーを用いて天板部を保護することができる医用画像診断装置の寝台を得ることを目的とする。
【課題を解決するための手段】
【０００７】
この発明に係る医用画像診断装置の寝台は、撮影部から離隔した離隔位置と、離隔位置よりも撮影部に接近した接近位置との間で、撮影部に対して前後動可能な支柱部、被検体が載せられる天板を有しており、かつ支柱部に上下動可能に支持されている天板部、天板部とともに上下動可能に支柱部に支持されており、支柱部が離隔位置に位置するときに、天板の側方に配置されて天板を保護するサイドカバー、及び支柱部の前後動に連動して、サイドカバーを支柱部に対して相対的に反対方向へ移動させる連動機構を備えている。
【発明の効果】
【０００８】
この発明の医用画像診断装置の寝台は、天板部とそれを支持する支柱部とを一体的に前後動させる構造であっても、サイドカバー用の支柱を床上に固定せずに、サイドカバーを用いて天板を保護することができる。
【図面の簡単な説明】
【０００９】
【図１】この発明の実施の形態１による医用画像診断装置を示す側面図である。
【図２】図１の医用画像診断装置を示す平面図である。
【図３】図１の医用画像診断装置の撮影時の状態を示す側面図である。
【図４】図３の医用画像診断装置を示す平面図である。
【図５】図１のＶ−Ｖ線に沿う概略の断面図である。
【図６】図１のサイドカバーに一対のローラを設けた変形例を示す側面図である。
【図７】図６の医用画像診断装置を示す平面図である。
【発明を実施するための形態】
【００１０】
以下、この発明を実施するための形態について、図面を参照して説明する。
実施の形態１．
図１はこの発明の実施の形態１による医用画像診断装置を示す側面図、図２は図１の医用画像診断装置を示す平面図、図３は図１の医用画像診断装置の撮影時の状態を示す側面図、図４は図３の医用画像診断装置を示す平面図であり、図１〜４では医用画像診断装置の一例としてＰＥＴ−ＣＴ装置を示している。
【００１１】
図において、撮影室の床上には、撮影部であるガントリ１と、寝台２とが並べて設置されている。寝台２は、床上に敷設されたレール部３、レール部３上に設けられている一対の支柱部４、支柱部４により水平に支持されている天板部５、及び天板部５の幅方向両側で支柱部４又は天板部５により水平に支持されている一対のサイドカバー（天板側方部材）６を有している。
【００１２】
支柱部４は、レール部３上に垂直に立てられている。また、支柱部４は、ガントリ１から離隔した離隔位置（図１）と、離隔位置よりもガントリ１に接近した接近位置（図３）との間で、ガントリ１に対して前後動可能となっている。レール部３と支柱部４との間には、支柱部４を前後動させるための機構として、例えば、送りねじ機構及びモータの組み合わせ（図示せず）が内蔵されている。
【００１３】
天板部５は、被検体が載せられる天板７を有している。天板７は、例えばカーボンファイバ強化プラスチックにより構成されている。天板７を含む天板部５は、支柱部４とともにガントリ１に対して前後動する。支柱部４が接近位置に位置するとき、天板７は、ガントリ１を貫通している。
【００１４】
また、天板部５は、支柱部４に上下動可能に支持されている。支柱部４と天板部５との間には、天板部５を上下動させるための機構として、例えば、送りねじ機構及びモータの組み合わせ（図示せず）が内蔵されている。
【００１５】
サイドカバー６は、例えば金属とカーボンファイバ強化プラスチックとの組み合わせにより構成されている。また、サイドカバー６は、天板部５とともに上下動可能に支柱部４又は天板部５に支持されている。さらに、支柱部４が前後動する方向へのサイドカバー６の長さは、同方向への天板部５の長さとほぼ同じである。これにより、支柱部４が離隔位置に位置するとき、サイドカバー６は、天板７の側方に配置されて天板７を保護する。
【００１６】
さらに、サイドカバー６は、支柱部４の前後動に連動して、支柱部４に対して相対的に反対方向へ支柱部４と同量移動する。これにより、支柱部４が前後動する方向のサイドカバー６の位置は、支柱部４が前後動しても変わらず同じである。従って、支柱部４及び天板部５がガントリ１側へ前進しても、サイドカバー６は前進せず、サイドカバー６がガントリ１に衝突したりガントリ１内に進入したりすることはない。
【００１７】
支柱部４には、サイドカバー６の支柱部４に対する前後動を案内する一対の水平方向ガイドレール（図示せず）が設けられている。
【００１８】
図５は図１のＶ−Ｖ線に沿う概略の断面図である。支柱部４内の下端部近傍には、支持金具１１が固定されている。支持金具１１には、スプライン軸１２が支持されている。スプライン軸１２は、鉛直な回転軸を中心に回転可能である。
【００１９】
天板部５の幅方向端部には、連結金具１３が固定されている。連結金具１３には、スプライン軸１２と噛み合うスプラインハブ１４が回転可能に保持されている。スプラインハブ１４の内周の歯は、スプライン軸１２の外周の歯と噛み合っている。また、スプラインハブ１４は、スプライン軸１２に対して上下動可能になっている。これらのスプライン軸１２及びスプラインハブ１４により、スプライン機構が構成されている。
【００２０】
レール部３内には、レール部ラック１５が固定されている。レール部ラック１５は、支柱部４が前後動する方向に沿って配置されている。スプライン軸１２の下端部には、レール部ラック１５と噛み合う下部ピニオン１６が固定されている。これにより、スプライン軸１２は、支柱部４の前後動に連動して回転する。
【００２１】
例えば、支柱部４が前進（図５の紙面奥へ進む方向）したとすると、下部ピニオン１６は、上方から見て反時計回りに回転しながら支柱部４とともに前進する。支柱部４が後退した場合、下部ピニオン１６は、上方から見て時計回りに回転しながら支柱部４とともに後退する。
【００２２】
サイドカバー６内には、サイドカバーラック１７が固定されている。サイドカバーラック１７は、レール部ラック１５と平行に配置されている。スプラインハブ１４の下部には、サイドカバーラック１７と噛み合う上部ピニオン１８が固定されている。上部ピニオン１８のモジュール及び歯数は、下部ピニオン１６のモジュール及び歯数と同じである。
【００２３】
上部ピニオン１８は、スプライン軸１２と同軸に配置されており、スプライン軸１２と一体に回転する。また、上部ピニオン１８は、支柱部４の前後動に連動して、下部ピニオン１６と同方向へ同一速度で同一回転角度だけ回転する。これにより、サイドカバーラック１７は、水平方向ガイドレールに案内されて、支柱部４の移動量と同じ量だけ支柱部４に対して相対的に移動する。
【００２４】
また、支柱部４に対して天板部５及びサイドカバー６が上下動する際、上部ピニオン１８は、サイドカバーラック１７と噛み合ったまま、スプライン軸１２に沿って上下動する。
【００２５】
実施の形態１の連動機構１９は、支持金具１１、スプライン軸１２、スプラインハブ１４、レール部ラック１５、下部ピニオン１６、サイドカバーラック１７及び上部ピニオン１８を有している。そして、連動機構１９は、支柱部４の前後動に連動して、サイドカバー６を支柱部４に対して相対的に反対方向へ移動させる。図５では寝台２の幅方向の一側の構成を示したが、幅方向の他側にも同様の連動機構１９が左右対称に配置されている。
【００２６】
このような寝台２では、支柱部４が離隔位置に位置するときにサイドカバー６が天板７の側方に配置されている。このため、天板７を側方からの荷重に対して保護することができる。
【００２７】
また、支柱部４が前後動する際には、連動機構１９により、支柱部４の前後動に連動して、サイドカバー６を支柱部４に対して相対的に反対方向へ移動させる。このため、サイドカバー６は、支柱部４が前後動しても、その前後方向位置を変えることなく、同じ位置に留まり、ガントリ１に衝突することはない。また、サイドカバー６がガントリ１内に入らないため、サイドカバー６により画像が劣化することもない。
【００２８】
さらに、サイドカバー６用の支柱を床上に固定する必要がないため、寝台２の周囲で作業する介助者等の作業性を低下させることもない。
【００２９】
このように、実施の形態１の寝台２によれば、天板部５とそれを支持する支柱部４とを一体的に前後動させる構造であっても、サイドカバー６用の支柱を床上に固定せずに、サイドカバー６を用いて天板７を保護することができる。
【００３０】
また、連動機構１９を用いたので、サイドカバー６を支柱部４に対して移動させるための駆動系及び制御系を追加する必要がなく、構成が簡単である。
【００３１】
なお、例えば図６及び図７に示すように、サイドカバー６の先端部（ガントリ１側の端部）近傍に、天板７を支持する回転可能な一対のローラ８を設けてもよい。これにより、天板７の撓みを抑制することができる。
また、サイドカバー６の先端部に、ローラ８の代わりに、天板７をスライド可能に支持するスライド支持部を設けてもよい。
【００３２】
さらに、上記の例では、天板７の両側にサイドカバー６を配置したが、撮影室内のレイアウト等によっては、天板７の片側のみにサイドカバー６を配置してもよい。
さらにまた、サイドカバー６は、必ずしも天板７の全長に渡って設けなくてもよく、天板７の長さ方向の一部のみに設けてもよい。
また、上記の例では、支柱部４が前後動してもサイドカバー６は全く動かないが、ガントリ１等の周囲の機器と干渉しない範囲であれば動いてもよい。
さらに、この発明を適用する医用画像診断装置は、ＰＥＴ−ＣＴ装置に限定されるものではない。
【符号の説明】
【００３３】
１  ガントリ（撮影部）、２  寝台、４  支柱部、５  天板部、６  サイドカバー、７  天板、１２  スプライン軸、１７  サイドカバーラック、１８  上部ピニオン、１９  連動機構。
【図１】
0006329447.tif 000002
【図２】
0006329447.tif 000003
【図３】
0006329447.tif 000004
【図４】
0006329447.tif 000005
【図５】
0006329447.tif 000006
【図６】
0006329447.tif 000007
【図７】
0006329447.tif 000008